(57)【要約】【課題】本発明は、軽量化、構造の簡素化、組立て作業性の向上を図るようにした補助ミラー付きドアミラーを提供する。【解決手段】補助ミラー付きドアミラー１において、補助ミラーをなす第１のミラー部１１および第２のミラー部１２が取付けられる補助ミラー支持部１０を、ドアミラー本体Ａから突出してドアミラー本体Ａに一体に形成させることで、従来のような別部品として準備しなければならない補助ミラーブラケットを不要とし、これによって、従来のように、重量のある補助ミラーブラケットやビスを必要としないので、軽量化、構造の簡素化、組立て作業性の向上を図ることができる。【選択図】図２
2014104807.tif 000002
【特許請求の範囲】
【請求項１】
ドアミラー本体に補助ミラーが設けられた補助ミラー付きドアミラーにおいて、
前記補助ミラーが取付けられると共に、前記ドアミラー本体から突出して前記ドアミラー本体に一体に形成される補助ミラー支持部と、
前記補助ミラーを露出させる窓部が設けられると共に、前記補助ミラー支持部を挿入させる開口部を有し、前記補助ミラー支持部を覆って前記ドアミラー本体に開口部の周縁が当接させられる補助ミラーハウジングと、を備えたことを特徴とする補助ミラー付きドアミラー。
【請求項２】
前記ドアミラー本体には、前記補助ミラーハウジングの開口部近傍であって前記補助ミラーハウジングの前側の壁部の裏面に近接又は当接して配置されて、前記壁部の前記裏面に沿った形状を有する壁面が設けられていることを特徴とする請求項１記載の補助ミラー付ドアミラー。
【請求項３】
前記補助ミラーハウジングを前記ドアミラー本体に固定するための固定手段は、
前記補助ミラー支持部に形成された係止片と、
前記補助ミラーハウジングの裏面から突出すると共に、先端が前記係止片に係合する引掛け片と、を有することを特徴とする請求項１又は２記載の補助ミラー付きドアミラー。
【発明の詳細な説明】
【技術分野】
【０００１】
本発明は、補助ミラーの一例である直前直左ミラーが設けられたドアミラーに関するものである。
【背景技術】
【０００２】
従来、このような分野の技術として、特開２０１２−１０６５２８号公報がある。この公報に記載された補助ミラー付きドアミラーにおいて、ハウジングボディに着脱可能に取り付けられされるロワカバーには、補助ミラーユニットが設けられている。この補助ミラーユニットは、第１ミラー部および第２ミラー部と、第１ミラー部および第２ミラー部を支持する補助ミラーブラケットと、補助ミラーブラケットを覆ってロワカバーに固定される補助ミラーハウジングと、により構成されている。補助ミラーブラケットは、樹脂からなる部材であり、インジェクション成型により形成されている。補助ミラーブラケットには、第１ミラー部および第２ミラー部が両面テープにより貼付されている。補助ミラーブラケットに固定された第１ミラー部によって、運転席から見て死角となる左前タイヤ近辺の視認を可能にし、第２のミラー部によって、運転席から見て死角となる助手席ドア付近の視認を可能にしている。補助ミラーブラケットは、第１ミラー部および第２ミラー部が取り付けられた状態で、タッピングビスにより補助ミラーハウジングのボスに固定される。補助ミラーハウジングには、ロワカバーおよびスカルキャップ（アッパカバー）と係合可能な係合爪が一体成形されている。そして、補助ミラーハウジングは、ロアカバーの下部およびスカルキャップに対してスナップフィット等により取り付けられている。
【先行技術文献】
【特許文献】
【０００３】
【特許文献１】特開２０１２−１０６５２８号公報
【発明の概要】
【発明が解決しようとする課題】
【０００４】
第１及び第２ミラー部を取り付けるための補助ミラーブラケットは、ビス止めされるので、一般的には、強度・剛性・耐衝撃性の高いガラス繊維強化プラスチックが利用され、このプラスチックは、比重が大きく比較的重い部品である。このような部品を利用すると、ドアミラーの軽量化が困難であり、しかも、補助ミラーブラケットを固定するためのビスを必要とし、これによって、ドアミラーの組立て作業性を煩雑にし、しかも、補助ミラーブラケットをビス止めするための位置決め構造を必要とし、これにより、ドアミラーの構造が複雑化する。
【０００５】
本発明は、軽量化、構造の簡素化、組立て作業性の向上を図るようにした補助ミラー付きドアミラーを提供することを目的とする。
【課題を解決するための手段】
【０００６】
本発明は、ドアミラー本体に補助ミラーが設けられた補助ミラー付きドアミラーにおいて、
補助ミラーが取付けられると共に、ドアミラー本体から突出してドアミラー本体に一体に形成される補助ミラー支持部と、
補助ミラーを露出させる窓部が設けられると共に、補助ミラー支持部を挿入させる開口部を有し、補助ミラー支持部を覆ってドアミラー本体に開口部の周縁が当接させられる補助ミラーハウジングと、を備えたことを特徴とする。
【０００７】
この補助ミラー付きドアミラーにおいては、補助ミラーが取付けられる補助ミラー支持部を、ドアミラー本体から突出してドアミラー本体に一体に形成させることで、従来のような別部品として準備しなければならない補助ミラーブラケットを不要とし、これによって、従来のように、重量のある補助ミラーブラケットやビスを必要としないので、軽量化、構造の簡素化、組立て作業性の向上を図ることができる。
【０００８】
また、ドアミラー本体には、補助ミラーハウジングの開口部近傍であって補助ミラーハウジングの前側の壁部の裏面に近接又は当接して配置されて、壁部の裏面に沿った形状を有する壁面が設けられている。
このように、対面するドアミラー本体の壁面と補助ミラーハウジングの前側の壁部の裏面とが近接又は当接するので、補助ミラーハウジングとドアミラー本体との繋ぎ目による風切り音の発生を抑制し、しかも、補助ミラーハウジング内への雨や風の進入する低減させることができる。また、当接にあっては、補助ミラーハウジングをドアミラー本体に組み付ける際の位置決めとして機能させることができる。
【０００９】
また、補助ミラーハウジングをドアミラー本体に固定するための固定手段は、補助ミラー支持部に形成された係止片と、記補助ミラーハウジングの裏面から突出すると共に、先端が係止片に係合する引掛け片と、を有する。
このような構成を採用すると、補助ミラーハウジングを確実にワンタッチで固定させることができ、ドアミラーの組立てに利用されるビス類の低減を可能にする。
【発明の効果】
【００１０】
本発明によれば、軽量化、構造の簡素化、組立て作業性の向上を図ることができる。
【図面の簡単な説明】
【００１１】
【図１】本発明に係る補助ミラー付きドアミラーの一実施形態を示す外観斜視図である。
【図２】図１に示されたドアミラーの分解斜視図である。
【図３】図１のドアミラーの要部が拡大して示された分解斜視図である。
【図４】図１のドアミラーの要部が拡大して示された分解斜視図である。
【図５】補助ミラーハウジングの内部構造を示す斜視図である。
【図６】図１のＶＩ−ＶＩ線に沿う断面図である。
【発明を実施するための形態】
【００１２】
以下、図面を参照しつつ本発明に係る補助ミラー付きドアミラーの好適な実施形態について詳細に説明する。なお、後述の「前後左右」は、ドアミラーを車体に取り付けた場合の前後左右をいう。
【００１３】
図１及び図２に示されるように、補助ミラー付きドアミラー１は、アーム部（不図示）を介して前側のドアパネル（不図示）に固定されるドアミラー本体Ａと、補助ミラーＢの一例をなす直前直左ミラーと、を備えている。ドアミラー本体Ａは、樹脂製のドアミラーハウジング２と、ドアミラーハウジング２の後側開口を塞ぐように配置された反射ミラー３と、反射ミラー３の裏面に着脱自在に装着されたピボットプレート（不図示）の傾動を可能にするミラー調整機構（図示せず）と、で主として構成されている。
【００１４】
ドアミラーハウジング２は、ミラー調整機構が取り付けられるベース部４と、ベース部４の前側開口４ａを塞ぐと共に、装飾として利用されるアッパーカバー６及びロアカバー７とで構成されている。ロアカバー７は、ビスによってベース部４に固定され、アッパーカバー６は、ベース部４の枠とロアカバー７の上縁に引っ掛けられるようにして固定されている。
【００１５】
図２〜図４に示されるように、ロアカバー７の底部７ａには、リブ構造からなる補助ミラー支持部１０が一体成形されている。この補助ミラー支持部１０は、ロアカバー７の底部７ａから下方に向けて突出し、補助ミラー支持部１０をリブ構造にすることで軽量化且つ強度アップを可能にしている。この補助ミラー支持部１０のリブ部１０ａの遊端には、補助ミラーＢをなす第１のミラー部１１および第２のミラー部１２が両面テープ１１ａ，１２ａにより貼付されている。そして、補助ミラー支持部１０に対し第１のミラー部１１は、運転席から見て死角となる左前タイヤ近辺の視認を可能にし、第２のミラー部１２によって、運転席から見て死角となる助手席ドア付近の視認を可能にしている。
【００１６】
また、この補助ミラー支持部１０は、ロアカバー７と同色のカップ状の補助ミラーハウジング１３で覆われ、この補助ミラーハウジング１３内に補助ミラー支持部１０が収容されている。補助ミラーハウジング１３には、第１のミラー部１１を覗かせるための第１の窓部１３ａと、第２のミラー部１２を覗かせるための第２の窓部１３ｂと、が形成されている。そして、補助ミラーハウジング１３の底部には、水抜き穴１４が形成されている。
【００１７】
図３〜図６に示されるように、補助ミラーハウジング１３をドアミラー本体Ａのロアカバー７に固定するための固定手段Ｃは、補助ミラー支持部１０と補助ミラーハウジング１３との係合により構成されている。この固定手段Ｃは、補助ミラーハウジング１３に形成された引掛け片１５と、補助ミラー支持部１０に形成された係止片１７と、からなる。
【００１８】
補助ミラーハウジング１３の裏面には、斜め上方に向かって起立するように突出する引掛け片１５が形成されている。この引掛け片１５は、基端が補助ミラーハウジング１３の裏面に固着されて、斜め上方に向かって起立する本体部１５ａと、先端に設けられて、補助ミラー支持部１０から水平方向に突出する板状の係止片１７の遊端に引っ掛かる爪部１５ｂと、からなる。
【００１９】
左右一対の引掛け片１５の各爪部１５ｂの高さは左右で異ならせている。これによって、左右の引掛け片１５でしっかりと補助ミラーハウジング１３を固定させることができる。また、各係止片１７には、上下方向に延在するリブ１７ａが接合され、これによって各係止片１７が変形し難くなっている。同様に、引掛け片１５の本体部１５ａの背面側には、断面三角形状のリブ１５ｃが設けられ、このリブ１５ｃによって本体部１５ａを弾性変形させ難くしている。従って、このリブ１５ｃにより爪部１５ｂが係止片１７から外れ難くなり、補助ミラーハウジング１３を確実にワンタッチで固定させることができ、ドアミラー１の組立てに利用されるビス類の低減を可能にする。
【００２０】
補助ミラーハウジング１３には、補助ミラー支持部１０を挿入するための開口部Ｓが設けられ、この開口部Ｓの近傍に位置する前側の壁部１３ｄの裏面は、ドアミラー本体Ａの一部をなすロアカバー７の表面に当接される。ロアカバー７には、補助ミラーハウジング１３の前側の壁部１３ｄを支持するハウジング支持部１６（図２参照）が設けられている。このハウジング支持部１６は、補助ミラー支持部１０の基端側で水平方向に延在すると共に、補助ミラーハウジング１３の前側の壁部１３ｄの形状に合致した曲面をなす壁面１６ｃと、この壁面１６ｃに形成されると共に、上下方向に延在して補助ミラーハウジング１３の壁部１３ｄの裏面に当接する線状の突起部１６ｂと、からなる。
【００２１】
そして、ドアミラー本体Ａの表面の一部をなして等間隔に配置された各突起部１６ｂによって、壁部１３ｄの裏面はハウジング支持部１６に対して線接触を可能にし、これによって、下から補助ミラーハウジング１３を嵌め易くすることができる。また、ハウジング支持部１６は、補助ミラーハウジング１３をロアカバー７に組み付けるときの位置決めやガイドとして機能し、爪部１５ｂを係止片１７に確実に引っ掛けることができ、補助ミラーハウジング１３のワンタッチ固定を容易にしている。なお、ハウジング支持部１６に関して、突起部１６ｂを採用しない場合には、ドアミラー本体Ａの表面の一部をなして補助ミラーハウジング１３の壁部１３ｄの裏面と当接するのは、壁面１６ｃである。
【００２２】
そして、ハウジング支持部１６の壁面１６ｃと、開口部Ｓの近傍に位置する前側の壁部１３ｄの裏面と、が面状の継ぎ目として構成されているので、補助ミラーハウジング１３とドアミラー本体Ａのロアカバー７との繋ぎ目による風切り音の発生を抑制し、しかも、補助ミラーハウジング１３内への雨や風の進入する低減させることができる。なお、図６に示されるように、開口部Ｓの近傍に位置する後側の壁部１３ｅ及び側壁１３ｆ（図５参照）の上端は、ロアカバー７の底部７ａに突き当てられている。
【００２３】
前述した補助ミラー付きドアミラー１においては、補助ミラーをなす第１のミラー部１１および第２のミラー部１２が取付けられる補助ミラー支持部１０を、ドアミラー本体Ａから突出してドアミラー本体Ａに一体に形成させることで、従来のような別部品として準備しなければならない補助ミラーブラケットを不要とし、これによって、従来のように、重量のある補助ミラーブラケットやビスを必要としないので、軽量化、構造の簡素化、組立て作業性の向上を図ることができる。
【００２４】
本発明は、前述した実施形態に限定されず、本発明の要旨を逸脱しない範囲で種々の変形が可能である。
【００２５】
例えば、固定手段Ｃは、補助ミラーハウジング１３の裏面から突出する係止片（不図示）と、補助ミラー支持部１０に形成されると共に、先端が係止片に係合する引掛け片（不図示）と、で構成されていてもよい。
【符号の説明】
【００２６】
１…補助ミラー付きドアミラー、１０…補助ミラー支持部、１３…補助ミラーハウジング、１３ａ，１３ｂ…窓部、１３ｄ…前側の壁部、１６…ハウジング支持部、１７…係止片、Ａ…ドアミラー本体、Ｂ…補助ミラー、Ｃ…固定手段。
【図１】
2014104807.tif 000003
【図２】
2014104807.tif 000004
【図３】
2014104807.tif 000005
【図４】
2014104807.tif 000006
【図５】
2014104807.tif 000007
【図６】
2014104807.tif 000008